【手続補正書】
【提出日】平成17年2月22日(2005.2.22)
【手続補正１】
【補正対象書類名】特許請求の範囲
【補正対象項目名】全文
【補正方法】変更
【補正の内容】
【特許請求の範囲】
【請求項１】
撮影レンズと、
この撮影レンズを通過する光を受光し、その受光量に応じた画像データを取得する第１の撮像素子と、
この第１の撮像素子によって得られた画像データを記録する記録手段と、
前記撮影レンズと前記第１の撮像素子との間に介在し、前記撮影レンズを通過した光を分光するハーフミラーと、
このハーフミラーの分光経路上に設けられた第２の撮像素子と
を具備したことを特徴とする撮像装置。
【請求項２】
前記第２の撮像素子は、前記ハーフミラーによって分光された光の経路に沿って移動可能に設けられているものであることを特徴とする請求項１記載の撮像装置。
【請求項３】
前記第２の撮像素子の移動可能な移動量は、前記撮像レンズの移動可能な移動量の約２倍であることを特徴とする請求項２記載の撮像装置。
【請求項４】
撮影時に前記第２の撮像素子を所定の範囲内で移動させて合焦位置の検索を行い、その検索後の第２の撮像素子と前記撮影レンズとの相対位置に基づき前記撮影レンズを合焦位置に直接移動させて焦点を調節するフォーカス制御手段をさらに具備したことを特徴とする請求項２記載の撮像装置。
【請求項５】
前記第２の撮像素子を移動させる所定の範囲は、前記撮影レンズの位置に応じて、前記撮影レンズと前記第２の撮像素子との間の、光の経路の長さが、所定の範囲の長さになるような範囲であることを特徴とする請求項４記載の撮像装置。
【請求項６】
前記記録手段に記録される画像データは、動画像データであることを特徴とする請求項１記載の撮像装置。
【請求項７】
前記合焦位置の検索は、コントラストＡＦ方式によるものであることを特徴とする請求項４記載の撮像装置。
【請求項８】
撮影レンズと、
この撮影レンズを通過する光を受光し、その受光量に応じた画像データを取得する第１の撮像素子と、
この第１の撮像素子によって得られた画像データを記録する記録手段と、
前記撮影レンズと前記第１の撮像素子との間に介在し、前記撮影レンズを通過する光を分光する可動型のハーフミラーと、
このハーフミラーの分光経路上に移動可能に設けられた第２の撮像素子と、
静止画の撮影時に、前記ハーフミラーを前記撮影レンズの光軸から退避させ、前記撮影レンズを所定の範囲内で移動させて焦点を調節する第１のフォーカス制御手段と、
動画の撮影時に、前記ハーフミラーを前記撮影レンズの光軸上に位置させ、前記第２の撮像素子を所定の範囲内で移動させて合焦位置の検索を行い、その検索後の第２の撮像素子と前記撮影レンズとの相対位置に基づき前記撮影レンズを合焦位置に直接移動させて焦点を調節する第２のフォーカス制御手段と
を具備したことを特徴とする撮像装置。
【請求項９】
前記ハーフミラーは、初期状態では前記撮影レンズの光軸上の位置にあり、静止画の撮影時に前記撮影レンズの光軸から退避した位置に設定されることを特徴とする請求項８記載撮像装置。
【請求項１０】
前記ハーフミラーは、初期状態では前記撮影レンズの光軸から退避した位置にあり、動画の撮影時に前記撮影レンズの光軸上の位置に設定されることを特徴とする請求項８記載の撮像装置。
【請求項１１】
前記ハーフミラーは、前記撮像装置のファインダにスルー画像を表示している場合、前記撮影レンズの光軸から退避した位置に設定されることを特徴とする請求項８記載の撮像装置。
【請求項１２】
前記ハーフミラーの光軸からの退避は、ハーフミラーの一端を支点として回転させることにより行われることを特徴とする請求項８記載の撮像装置。
【請求項１３】
前記ハーフミラーの光軸からの退避は、ハーフミラーをスライド移動させることにより行われることを特徴とする請求項８記載の撮像装置。
【請求項１４】
撮影レンズと、撮像素子とを有する撮像装置におけるフォーカス制御方法であって、
前記撮影レンズを通過する光を受光し、その受光量に応じた画像データを前記撮像素子で取得するステップと、
前記撮影レンズを通過する光を、当該光の経路上に備えられたハーフミラーにより分光するステップと、
前記ハーフミラーの分光経路上に移動可能に設けられた第２の撮像素子を所定の範囲内で移動させて合焦位置の検索を行うステップと、
その検索後の第２の撮像素子と前記撮影レンズとの相対位置に基づき前記撮影レンズを合焦位置に直接移動させて焦点を調節するステップと
を含むことを特徴とするフォーカス制御方法。
【請求項１５】
静止画の撮影時に、前記ハーフミラーを前記撮影レンズの光軸から退避させ、前記撮影レンズを所定の範囲内で移動させて焦点を調節するステップと、
動画の撮影時に、前記ハーフミラーを前記撮影レンズの光軸上に位置させ、前記撮影レンズを通過する光を、当該光の経路上に備えられたハーフミラーにより分光し、前記ハーフミラーの分光経路上に移動可能に設けられた第２の撮像素子を所定の範囲内で移動させて合焦位置の検索を行い、その検索後の第２の撮像素子と前記撮影レンズとの相対位置に基づき前記撮影レンズを合焦位置に直接移動させて焦点を調節するステップと
をさらに含むことを特徴とする請求項１４記載のフォーカス制御方法。
【請求項１６】
撮影レンズと、撮像素子とを有する撮像装置を制御するコンピュータによって実行されるプログラムであって、
前記撮像装置に、
前記撮影レンズを通過する光を受光し、その受光量に応じた画像データを前記撮像素子で取得するステップと、
前記撮影レンズを通過する光を、当該光の経路上に備えられたハーフミラーにより分光するステップと、
前記ハーフミラーの分光経路上に移動可能に設けられた第２の撮像素子を所定の範囲内で移動させて合焦位置の検索を行うステップと、
その検索後の第２の撮像素子と前記撮影レンズとの相対位置に基づき前記撮影レンズを合焦位置に直接移動させて焦点を調節するステップと
を行わせるように制御することを特徴とするコンピュータプログラム。
【請求項１７】
前記撮像装置に、
静止画の撮影時に、前記ハーフミラーを前記撮影レンズの光軸から退避させ、前記撮影レンズを所定の範囲内で移動させて焦点を調節するステップと、
動画の撮影時に、前記ハーフミラーを前記撮影レンズの光軸上に位置させ、前記撮影レンズを通過する光を、当該光の経路上に備えられたハーフミラーにより分光し、前記ハーフミラーの分光経路上に移動可能に設けられた第２の撮像素子を所定の範囲内で移動させて合焦位置の検索を行い、その検索後の第２の撮像素子と前記撮影レンズとの相対位置に基づき前記撮影レンズを合焦位置に直接移動させて焦点を調節するステップと
をさらに行わせるように制御することを特徴とする請求項１６記載のコンピュータプログラム。
【手続補正２】
【補正対象書類名】明細書
【補正対象項目名】発明の名称
【補正方法】変更
【補正の内容】
【発明の名称】撮像装置、フォーカス制御方法及びコンピュータプログラム
【手続補正３】
【補正対象書類名】明細書
【補正対象項目名】０００１
【補正方法】変更
【補正の内容】
【０００１】
この発明は、例えばデジタルカメラ、デジタルビデオカメラなどの撮像装置に係り、特にオートフォーカス機能を用いて動画の撮影を行う場合に用いて好適な撮像装置、フォーカス制御方法及びコンピュータプログラムに関する。
【手続補正４】
【補正対象書類名】明細書
【補正対象項目名】０００５
【補正方法】変更
【補正の内容】
【０００５】
本発明の一観点による撮像装置は、撮影レンズと、この撮影レンズを通過する光を受光し、その受光量に応じた画像データを取得する第１の撮像素子と、この第１の撮像素子によって得られた画像データを記録する記録手段と、前記撮影レンズと前記第１の撮像素子との間に介在し、前記撮影レンズを通過した光を分光するハーフミラーと、このハーフミラーの分光経路上に設けられた第２の撮像素子とを具備して構成される。
【手続補正５】
【補正対象書類名】明細書
【補正対象項目名】０００７
【補正方法】変更
【補正の内容】
【０００７】
本発明の他の観点による撮像装置は、撮影レンズと、この撮影レンズを通過する光を受光し、その受光量に応じた画像データを取得する第１の撮像素子と、この第１の撮像素子によって得られた画像データを記録する記録手段と、前記撮影レンズと前記第１の撮像素子との間に介在し、前記撮影レンズを通過する光を分光する可動型のハーフミラーと、このハーフミラーの分光経路上に移動可能に設けられた第２の撮像素子と、静止画の撮影時に、前記ハーフミラーを前記撮影レンズの光軸から退避させ、前記撮影レンズを所定の範囲内で移動させて焦点を調節する第１のフォーカス制御手段と、動画の撮影時に、前記ハーフミラーを前記撮影レンズの光軸上に位置させ、前記第２の撮像素子を所定の範囲内で移動させて合焦位置の検索を行い、その検索後の第２の撮像素子と前記撮影レンズとの相対位置に基づき前記撮影レンズを合焦位置に直接移動させて焦点を調節する第２のフォーカス制御手段とを具備して構成される。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】